(57)【特許請求の範囲】
【請求項１】
シートを搬送可能な搬送手段と、
第一位置及び第二位置へ変位可能なガイド部と、
開閉動作可能な開閉部と、
回動可能で、第一カム面及び第二カム面を有し、前記第一カム面は回動中心からの距離が等距離とされ、前記第二カム面は回動中心からの距離が等距離とされ、かつ、当該距離が回動中心から前記第一カム面までの距離よりも小さい距離とされているカム部と、
前記開閉部の開閉動作を前記カム部に伝達する伝達部と
を備え、
前記ガイド部は、前記第一位置へ変位した際には、前記搬送手段によって搬送される前記シートを第一搬送経路へと案内する一方、前記第二位置へ変位した際には、前記搬送手段によって搬送される前記シートを第二搬送経路へと案内し、
前記開閉部は、開閉動作の際には、第一の開閉位置から第二の開閉位置及び第三の開閉位置を経て第四の開閉位置に至る範囲内で変位し、前記第一の開閉位置にある場合には閉状態となって前記第二搬送経路の一部を塞ぐ一方、前記第四の開閉位置にある場合には開状態となって前記第二搬送経路を開放し、
前記カム部は、回動の際には、第一の回動位置から第二の回動位置及び第三の回動位置を経て第四の回動位置に至る範囲内で変位し、前記第一の回動位置と前記第二の回動位置との間で回動する間は、前記第一カム面が前記ガイド部と当接する状態を維持したまま回動することによって前記ガイド部を前記第一位置に保持し、前記第二の回動位置と前記第三の回動位置との間で回動する間には、前記第一カム面で前記ガイド部に当接する状態と前記第二カム面で前記ガイド部に当接する状態とを、いずれか一方の状態から他方の状態に切り替え、前記第三の回動位置と前記第四の回動位置との間で回動する間は、前記第二カム面が前記ガイド部と当接する状態を維持したまま回動することによって前記ガイド部を前記第二位置に保持し、
前記伝達部は、前記開閉部が前記第一の開閉位置へ変位するのに連動させて前記カム部を前記第一の回動位置へ回動させ、前記開閉部が前記第二の開閉位置へ変位するのに連動させて前記カム部を前記第二の回動位置へ回動させ、前記開閉部が前記第三の開閉位置へ変位するのに連動させて前記カム部を前記第三の回動位置へ回動させ、前記開閉部が前記第四の開閉位置へ変位するのに連動させて前記カム部を前記第四の回動位置へ回動させ、
さらに、前記カム部は、前記第一の回動位置と前記第二の回動位置との間で回動する場合の回動角を第一の角度、前記第二の回動位置と前記第三の回動位置との間で回動する場合の回動角を第二の角度、前記第三の回動位置と前記第四の回動位置との間で回動する場合の回動角を第三の角度として、前記第二の角度に対し、前記第一の角度が前記第二の角度よりも大、かつ、前記第三の角度が前記第二の角度よりも大となる形状に形成されている
ことを特徴とするシート搬送装置。
【請求項２】
前記ガイド部を前記第二位置側へと付勢する付勢部を備えており、
前記カム部は、前記第一カム面が前記ガイド部と当接する位置へ回動した際に、前記付勢部による付勢力に抗して前記ガイド部を前記第一位置へ変位させた状態とする
ことを特徴とする請求項１に記載のシート搬送装置。
【請求項３】
前記ガイド部は、回動することによって前記第一位置及び前記第二位置へ変位可能で、前記第一位置へ変位した状態において、前記第一搬送経路に沿って搬送されてくるシートを搬送方向上流側から下流側へと案内するガイド面を有し、
前記カム部は、前記第一カム面が前記ガイド部と当接する位置へ回動した際、前記ガイド部の回動中心よりも前記ガイド面の搬送方向下流側端部に近い位置において、前記ガイド部に当接する
ことを特徴とする請求項１又は請求項２に記載のシート搬送装置。
【請求項４】
前記第二搬送経路は、前記シートを前記第一搬送経路よりも湾曲させることなく搬送可能な経路とされている
ことを特徴とする請求項１〜請求項３のいずれか一項に記載のシート搬送装置。
【請求項５】
前記第一搬送経路は、前記シートをカーブさせつつ搬送方向上流側から下流側へと搬送するカーブ部分を有する経路とされており、
前記カーブ部分に沿った経路へ前記シートを案内する部材として、前記カーブ部分における上流側には、前記ガイド部である第一ガイド部材が配設され、前記カーブ部分における下流側には、前記ガイド部が変位した場合でも連動して変位することのない構造とされた第二ガイド部材が配設されている
ことを特徴とする請求項４に記載のシート搬送装置。
【請求項６】
前記搬送手段は、前記第一ガイド部材及び前記第二ガイド部材と搬送経路を挟んで対向する位置に、前記カーブ部分に沿った外周面で前記シートに接触する搬送ローラを備え、
前記ガイド部は、上下方向について、前記搬送ローラの回転中心よりも下方となる位置にある軸線を中心に回動可能とされている
ことを特徴とする請求項５に記載のシート搬送装置。
【請求項７】
前記伝達部は、前記開閉部及び前記カム部それぞれに対して回動可能に連結されたアーム部を備えていて、これら前記開閉部、前記カム部、及び前記アーム部が、四節リンクを構成しており、
しかも、前記アーム部と前記カム部との連結点は、前記アーム部と前記カム部との連結箇所が伸びきった状態になる死点位置よりも下方にある
ことを特徴とする請求項１〜請求項６のいずれか一項に記載のシート搬送装置。
【発明の詳細な説明】
【技術分野】
【０００１】
本発明は、シート搬送装置に関する。
【背景技術】
【０００２】
従来、画像読取装置に付設される自動原稿送り装置（Automatic Document Feeder；以下、ＡＤＦと略称する。）や、画像形成装置に内蔵されるシート搬送機構など（以下、これらをシート搬送装置と総称する。）が知られている。
【０００３】
また、このようなシート搬送装置において、比較的薄いシートを搬送する場合と厚いシートを搬送する場合とで、利用する搬送経路を切り替え可能に構成されているものも知られている（例えば、特許文献１参照。）。例えば、特許文献１に記載された画像読取装置が備えるシート搬送装置の場合、カバーを閉じた際には、原稿をＵターンさせる形状とされた搬送経路（以下、第一搬送経路と称する。）が利用される。一方、カバーを開いた際には原稿を大きく湾曲させることなく搬送可能な搬送経路（以下、第二搬送経路と称する。）が利用される。このようなシート搬送装置であれば、通常はカバーを開くことなく原稿を搬送することができ、一方、カバーを開けば、比較的腰が強い厚手の原稿を搬送したり、曲げに弱い原稿を搬送したりすることもできる。
【０００４】
特許文献１に記載された画像読取装置が備えるシート搬送装置の場合、カバーの内側にある第一搬送ローラ対付近には、可動式のガイド部が設けられている。このガイド部は、カバーが閉じられた状態（特許文献１の図２参照。）においては、先端側が斜め下方に向けられる位置（以下、第一位置と称する。）へ変位した状態になっている。この状態において、第一搬送ローラ対によって送り出されるシートは、ガイド部に当接し、その当接面に沿って案内されてＵターン経路側へと搬送されることになる。
【０００５】
一方、上記ガイド部は、カバーが開かれた状態（特許文献１の図６参照。）においては、先端側が斜め上方に向けられる位置（以下、第二位置と称する。）へ変位した状態になっている。この状態において、第一搬送ローラ対によって送り出されるシートは、ガイド部には当接せず、カバーの上面側へと排出されることになる。
【先行技術文献】
【特許文献】
【０００６】
【特許文献１】特開２０００−１２８４１３号公報
【発明の概要】
【発明が解決しようとする課題】
【０００７】
ところで、上述のようなガイド部は、カバーの開閉動作に連動して変位する構造とされていれば、カバーとガイド部をそれぞれ独立に変位させなければならないものよりも利便性は高くなる。
【０００８】
しかし、上述のカバーのように開閉動作する部分（以下、開閉部と称する。）とガイド部を単に連動させるだけでは、以下のような問題を招く。すなわち、開閉部とガイド部が連動して変位する構造とした場合、開閉部が僅かに開いた状態にされると、ガイド部が第一位置よりも僅かに第二位置側へ変位した状態になる可能性がある。この状態で、搬送経路の上流側からシートが搬送されてくると、シートがガイド部には当接するものの、シートを適正な方向へ案内することができず、ジャムが発生するなどのトラブルを招くおそれがある。
【０００９】
また、開閉部の組み付け精度が公差の範囲内でばらついていることが原因で、開閉部に多少のがたつきがある場合、そのがたつきに連動してガイド部までがたつくと、そのがたつき分だけガイド部が第一位置から第二位置側へ変位してしまうこともある。この場合も、上記同様、ジャムが発生するなどのトラブルを招くおそれがある。
【００１０】
したがって、開閉部とガイド部を連動させるに当たっては、上述のようなトラブルを回避できるような仕組みを採用することが重要であるが、特許文献１には、開閉部（カバー）とガイド部を連動させる仕組みに関し、何ら具体的な開示がなされていない。
【００１１】
本発明は、上記問題を解決するためになされたものであり、その目的は、開閉部の開閉動作に追従してガイド部が変位するにもかかわらず、開閉部が僅かに変位した程度ではガイド部が変位しない構造とされたシート搬送装置を提供することにある。
【課題を解決するための手段】
【００１２】
以下、本発明において採用した構成について説明する。
本発明のシート搬送装置は、シートを搬送可能な搬送手段と、第一位置及び第二位置へ変位可能なガイド部と、開閉動作可能な開閉部と、回動可能で、回動中心からの距離が等距離とされる第一カム面を有するカム部と、前記開閉部の開閉動作を前記カム部に伝達する伝達部とを備え、前記ガイド部は、前記第一位置へ変位した際には、前記搬送手段によって搬送される前記シートを第一搬送経路へと案内する一方、前記第二位置へ変位した際には、前記搬送手段によって搬送される前記シートを第二搬送経路へと案内し、前記開閉部は、閉状態とされた際には、前記第二搬送経路の一部を塞ぐ一方、開状態とされた際には、前記第二搬送経路を開放し、前記伝達部は、前記開閉部が閉状態とされた際には、前記第一カム面が前記ガイド部と当接する位置へ前記カム部を回動させる一方、前記開閉部が開状態とされた際には、前記第一カム面が前記ガイド部から離間する位置へ前記カム部を回動させ、前記カム部は、前記第一カム面が前記ガイド部と当接する位置へ回動した際には、前記ガイド部を前記第一位置に保持する一方、前記第一カム面が前記ガイド部から離間する位置へ回動した際には、前記ガイド部を前記第二位置へ変位可能な状態にすることを特徴とする。
【００１３】
このように構成されたシート搬送装置によれば、開閉部が閉状態とされた際、伝達部は、第一カム面がガイド部と当接する位置へカム部を回動させる。このとき、カム部の回転角は伝達部の動作に伴って変動するものの、回動中心からの距離が等距離とされている第一カム面がガイド部に当接しているので、この第一カム面の範囲内であれば、ガイド部と第一カム面の当接位置がずれても、ガイド部は第一位置へ変位した状態のまま維持される。
【００１４】
したがって、例えば、開閉部が僅かに開状態側へ変位したとしても、その程度であれば、直ちにガイド部が第一位置からずれてしまうことはない。また、開閉部の組み付け精度が公差の範囲内で多少ばらついていたとしても、それが原因でガイド部が第一位置からずれてしまうこともない。よって、このようなガイド部のずれが原因で第一搬送経路においてジャムが発生するのを、抑制することができる。
【００１５】
ところで、本発明のシート搬送装置は、前記ガイド部を前記第二位置側へと付勢する付勢部を備えており、前記カム部は、前記第一カム面が前記ガイド部と当接する位置へ回動した際に、前記付勢部による付勢力に抗して前記ガイド部を前記第一位置へ変位させた状態とするものであると好ましい。
【００１６】
このように構成されたシート搬送装置によれば、上述のような付勢部を備えているので
、ガイド部が自重で第二位置側へと変位するようなものに比べ、適切かつ確実にガイド部を第二位置側へ変位させることができる。
【００１７】
また、本発明のシート搬送装置において、前記カム部は、回動中心からの距離が等距離とされていて、かつ、当該距離が回動中心から前記第一カム面までの距離とは異なる距離とされている第二カム面を有し、当該第二カム面が前記ガイド部と当接する位置へ回動した際に、前記ガイド部を前記第二位置に保持し、前記伝達部は、前記開閉部が開状態とされた際には、前記第二カム面が前記ガイド部と当接する位置へ前記カム部を回動させるものであると好ましい。
【００１８】
このように構成されたシート搬送装置によれば、開閉部が開状態とされた際、伝達部は、第二カム面がガイド部と当接する位置へカム部を回動させる。このとき、カム部の回転角は伝達部の動作に伴って変動するものの、回動中心からの距離が等距離とされている第二カム面がガイド部に当接しているので、この第二カム面の範囲内であれば、ガイド部と第二カム面の当接位置がずれても、ガイド部は第二位置へ変位した状態のまま維持される。
【００１９】
したがって、例えば、開閉部が僅かに閉状態側へ変位していたとしても、その程度であれば、直ちにガイド部が第二位置からずれてしまうことはない。また、開閉部の組み付け精度が公差の範囲内で多少ばらついていたとしても、それが原因でガイド部が第二位置からずれてしまうこともない。よって、このようなガイド部のずれが原因で、第二搬送経路においてジャムが発生するのを抑制することができる。
【００２０】
また、本発明のシート搬送装置において、前記ガイド部は、回動することによって前記第一位置及び前記第二位置へ変位可能で、前記第一位置へ変位した状態において、前記第一搬送経路に沿って搬送されてくるシートを搬送方向上流側から下流側へと案内するガイド面を有し、前記カム部は、前記第一カム面が前記ガイド部と当接する位置へ回動した際、前記ガイド部の回動中心よりも前記ガイド面の搬送方向下流側端部に近い位置において、前記ガイド部に当接するものであると好ましい。
【００２１】
このように構成されたシート搬送装置によれば、第一カム面がガイド部と当接する位置へカム部が回動した際、カム部がガイド部の回動中心付近でガイド部に当接するものよりも、シートの搬送時にカム部に作用する力を低減することができる。また、カム部がガイド部の回動中心よりもガイド面の搬送方向下流側端部に近い位置においてガイド部に当接していれば、カム部がガイド部の回動中心付近でガイド部に当接するものよりも、カム部の配設位置の精度が原因でガイド部の回転角の精度が低下するのを抑制することができる。より具体的には、カム部の配設位置が、公差の範囲内で設計上の標準的な位置よりもガイド部側に近い位置へずれた場合、そのずれの分だけガイド部が回動してガイド部の回転角に影響が出る。このとき、カム部のずれ量が同程度であっても、カム部がガイド部の回動中心付近でガイド部に当接している場合と、カム部がガイド部の回動中心よりもガイド面の搬送方向下流側端部に近い位置においてガイド部に当接している場合とでは、前者の方がガイド部の回転角はより大きく変動する。したがって、後者のような構成を採用することにより、公差の範囲内での誤差が蓄積するのを抑制し、ガイド部の回転角をより標準的な位置に近づけることができる。
【００２２】
また、本発明のシート搬送装置において、前記第二搬送経路は、前記シートを前記第一搬送経路よりも湾曲させることなく搬送可能な経路とされていると好ましい。
このように構成されたシート搬送装置によれば、ガイド部を変位させることにより、第一搬送経路及び第二搬送経路のいずれを利用するかを切り替えることができ、これにより、比較的湾曲させやすいシートであれば、第一搬送経路を利用してシートの搬送を行う一
方、例えば厚紙などの湾曲させにくいシートであれば、第二搬送経路を利用して、第一搬送経路ほど大きくシートを湾曲させることなく搬送を行うことができる。しかも、開閉部が僅かに開状態側へ変位したり、開閉部の組み付け精度が公差の範囲内で多少ばらついていたりしても、それが原因でガイド部が第一位置からずれてしまうことはないので、第一搬送経路を利用してシートの搬送を行う際には、ガイド部のずれが原因で、第一搬送経路においてジャムが発生するのを抑制することができる。
【００２３】
また、本発明のシート搬送装置において、前記第一搬送経路は、前記シートをカーブさせつつ搬送方向上流側から下流側へと搬送するカーブ部分を有する経路とされており、前記カーブ部分に沿った経路へ前記シートを案内する部材として、前記カーブ部分における上流側には、前記ガイド部である第一ガイド部材が配設され、前記カーブ部分における下流側には、前記ガイド部が変位した場合でも連動して変位することのない構造とされた第二ガイド部材が配設されていると好ましい。
【００２４】
このように構成されたシート搬送装置によれば、カーブ部分に沿った経路へシートを案内する部材としては、第一ガイド部材及び第二ガイド部材を備えており、しかも、ガイド部である第一ガイド部材が変位した場合でも、第二ガイド部材はガイド部とともに変位することはない。したがって、カーブ部分に沿った経路へシートを案内する部材が単一の部材で構成されている場合よりも、ガイド部を変位させるために必要なスペースを小さくすることができ、ガイド部をコンパクトな構造にすることができる。
【００２５】
また、本発明のシート搬送装置において、前記搬送手段は、前記第一ガイド部材及び前記第二ガイド部材と搬送経路を挟んで対向する位置に、前記カーブ部分に沿った外周面で前記シートに接触する搬送ローラを備え、前記ガイド部は、上下方向について、前記搬送ローラの回転中心よりも下方となる位置にある軸線を中心に回動可能とされていると好ましい。
【００２６】
このように構成されたシート搬送装置によれば、ガイド部の回動中心が搬送ローラの回転中心よりも下方となる位置にあるので、ガイド部の回動中心が搬送ローラの回転中心よりも上方となる位置にあるものに比べ、ガイド部の可動域をコンパクトにすることができ、これにより、装置内部に確保すべき空間を低減し、装置サイズの小型化を図ることができる。
【００２７】
また、本発明のシート搬送装置において、前記伝達部は、前記開閉部及び前記カム部それぞれに対して回動可能に連結されたアーム部を備えていて、これら前記開閉部、前記カム部、及び前記アーム部が、四節リンクを構成しており、しかも、前記アーム部と前記カム部との連結点は、前記アーム部と前記カム部との連結箇所が伸びきった状態になる死点位置よりも下方にあると好ましい。
【００２８】
このように構成されたシート搬送装置によれば、アーム部とカム部との連結点は、アーム部とカム部との連結箇所が伸びきった状態になる死点位置よりも下方にある。そのため、少なくともアーム部とカム部の自重で、両者の連結点が死点位置側へ変位することはなく、両者の連結点が死点位置を挟んで反対側へ変位してしまうこともない。
【図面の簡単な説明】
【００２９】
【図１】（ａ）は原稿搬送ユニットが閉位置にある状態とされた複合機を示す斜視図、（ｂ）は原稿搬送ユニットが開位置にある状態とされた複合機を示す斜視図。
【図２】原稿搬送ユニット、及び読取ユニットの内部構造を示す縦断面図。
【図３】図２中に示した領域Ｓ１を拡大して示す図であり、開閉部が閉じられた状態を示す縦断面図。
【図４】図３と同じ領域Ｓ１を示す図であり、開閉部が開かれた状態を示す縦断面図。
【図５】開閉部が閉じられた状態におけるカム部及びガイド部の位置を示す縦断面図。
【図６】開閉部が開かれた状態におけるカム部及びガイド部の位置を示す縦断面図。
【図７】（ａ）は開閉部が閉じられた状態における係合機構を示す縦断面図、（ｂ）は開閉部が開かれた状態における係合機構を示す縦断面図。
【図８】Ｕターン搬送ローラ付近の構造を示す斜視図。
【図９】ガイド部を示す斜視図。
【図１０】（ａ）はガイド部付近の構造を示す平面図、（ｂ）は図１０（ａ）中に示した領域Ｓ２を拡大して示す平面図、（ｃ）は図１０（ａ）中に示した領域Ｓ３を拡大して示す平面図。
【図１１】付勢部付近の構造を示す縦断面図。
【図１２】（ａ）は第一位置にあるガイド部とその付近の構造を示す縦断面図、（ｂ）は第二位置にあるガイド部とその付近の構造を示す縦断面図。
【図１３】（ａ）はねじりコイルばねによって閉位置へ付勢された開閉部を示す縦断面図、（ｂ）はねじりコイルばねによって開位置へ付勢された開閉部を示す縦断面図。
【発明を実施するための形態】
【００３０】
次に、本発明の実施形態について一例を挙げて説明する。本実施形態において例示するシート搬送装置は、画像読取装置が備える自動原稿送り装置として構成されたものである。また、本実施形態において例示する画像読取装置は、画像読取装置としての機能（スキャン機能）に加え、その他の機能（例えば、プリント機能、コピー機能、ファクシミリ送受信機能など）を兼ね備えた複合機として構成されたものである。なお、以下の説明においては、複合機の各部について、それらの相対的な位置関係を簡潔に説明するため、図中に併記した上下左右前後の各方向を利用して説明を行う。
【００３１】
［複合機の構造］
図１（ａ）及び同図（ｂ）に示すように、複合機１は、本体ユニット２と、本体ユニット２の上側に搭載された読取ユニット３と、読取ユニット３の上側に搭載された原稿搬送ユニット４（本発明でいうシート搬送装置の一例に相当。）を備えている。
【００３２】
本体ユニット２は、画像形成部、制御部、及び電源部等を内蔵しており、本体ユニット２、読取ユニット３、及び原稿搬送ユニット４に配設された各種機構は、本体ユニット２が備える制御部によって制御される。
【００３３】
読取ユニット３は、本体ユニット２及び読取ユニット３の後端付近において左右方向へ延びる軸線を回動中心として、本体ユニット２に対し回動可能な構造とされている。読取ユニット３を回動させて読取ユニット３の前端側を上方へ変位させると、本体ユニット２の上面の開口部が開放され、本体ユニット２に内蔵された各部（画像形成部、制御部、及び電源部等）のメンテナンス作業等を実施可能な状態になる。
【００３４】
原稿搬送ユニット４は、読取ユニット３及び原稿搬送ユニット４の後端付近において左右方向へ延びる軸線を回動中心として、読取ユニット３に対し回動可能な構造とされている。この回動に伴って、原稿搬送ユニット４は、閉位置（図１（ａ）参照。）及び開位置（図１（ｂ）参照。）へ変位する。
【００３５】
原稿搬送ユニット４を開位置へ変位させると、読取ユニット３の上面にある原稿載置面が露出する。また、原稿搬送ユニット４を閉位置へ変位させると、原稿搬送ユニット４は、原稿載置面を覆うカバーとして機能する。
【００３６】
原稿搬送ユニット４の左側面には、開閉部５が取り付けられている。開閉部５は、原稿搬送ユニット４の左端の下端側付近かつ開閉部５の下端付近において前後方向へ延びる軸線を回動中心として、原稿搬送ユニット４に対し回動可能な構造とされている。この開閉部５の開閉機構の詳細については後述する。
【００３７】
本体ユニット２の前面上側には、利用者によって操作される操作パネル７が設けられている。また、本体ユニット２において操作パネル７の下方には取出口８が形成されており、本体ユニット２内の画像形成部において画像が形成された被記録媒体は排出された後、取出口８から取り出し可能である。取出口８の下方には、印刷前の被記録媒体が収納される給紙カセット９が装着されている。
【００３８】
原稿搬送ユニット４の上面には、図１（ａ）に示すように、第一上面カバー１１及び第二上面カバー１２が設けられている。これら第一上面カバー１１及び第二上面カバー１２は、図２中に矢印Ａ１，Ａ２で示すように、それぞれの右端付近において前後方向へ延びる軸線を回動中心として、原稿搬送ユニット４に対し回動可能な構造とされている。
【００３９】
第一上面カバー１１は、閉位置にあるときには、回動中心付近から左方へ延びる部分が、その下方にある通紙面１３を覆い隠す状態になっている。一方、第一上面カバー１１を回動させて開位置へ変位させた際には、第一上面カバー１１は回動中心から右斜め上方へ延びる状態になって、通紙面１３とともに原稿の載置部を構成する状態となる。
【００４０】
通紙面１３上には、一対のサイドガイド１４が設けられている。このサイドガイド１４は、双方とも前後方向へスライド可能で、しかも、一方に連動して他方が一方とは逆方向へスライドする仕組みになっている。そのため、一対のサイドガイド１４の間隔を変更する際には、一方を操作するだけで、双方を互いに接近又は離間する方向へスライドさせることができる。
【００４１】
また、各サイドガイド１４には、各サイドガイド１４の上端から互いに対向する方向へ板状体を略水平に延出させてなる仕切り板１５が設けられている。搬送対象となる原稿は、この仕切り板１５の下方にセットされ、この状態でサイドガイド１４を原稿における搬送方向に平行な端面に当接させることにより、原稿の搬送方向を規制する。
【００４２】
後述する第一搬送経路に沿って原稿が搬送された場合、搬送済みの原稿は、仕切り板１５の上方へ排出され、その後は、通紙面１３から第一上面カバー１１に至る領域へと送出されることとなる。すなわち、この複合機１においては、第一上面カバー１１から通紙面１３に至る領域が、搬送対象となる原稿が載置される載置部として利用されるとともに、搬送済みの原稿が排出される排出部としても利用される。
【００４３】
第二上面カバー１２も、第一上面カバー１１と同様、閉位置にあるときには、回動中心付近から左方へ延びる部分が、その下方にある部分を覆い隠す状態になっている。一方、第二上面カバー１２を回動させて開位置へ変位させた際には、第二上面カバー１２の下方にある原稿搬送経路が露出する状態になり、この状態においては、第二上面カバー１２の下方で詰まった原稿を取り除く作業を実施することができる。
【００４４】
［読取ユニット及び原稿搬送ユニットの詳細］
次に、読取ユニット３及び原稿搬送ユニット４の詳細について説明する。
読取ユニット３には、図３及び図４に示すように、第一イメージセンサ２１が設けられ、原稿搬送ユニット４には、第二イメージセンサ２２が設けられている。本実施形態において、第一イメージセンサ２１及び第二イメージセンサ２２としては、双方とも密着イメ
ージセンサ（ＣＩＳ；Contact Image Sensor）が採用されている。
【００４５】
第一イメージセンサ２１は、左右方向に延びるガイドレール２３に沿って移動可能なキャリッジ２４に搭載されている。キャリッジ２４は、モータ（図示略）によって駆動されるタイミングベルト（図示略）に連結されており、これにより、第一イメージセンサ２１及びキャリッジ２４が、読取ユニット３の内部を左右方向へ往復移動する構造とされている。第一イメージセンサ２１は、いわゆるフラットベット方式で原稿を読み取る際に読取ユニット３の内部を往復移動しながら、原稿の画像を読み取る。ＡＤＦ（オートドキュメントフィーダ）方式で原稿の画像を読み取る際には、第一イメージセンサ２１を所定位置で停止させて読み取る。また、第二イメージセンサ２２は、ＡＤＦ方式で原稿の両面を読み取る際に使用されるもので、原稿搬送ユニット４内のフレームに固定されている。ＡＤＦ方式で原稿の両面の画像を読み取る際には、第一イメージセンサ２１を所定位置で停止させて、第一、第二イメージセンサの両方によって原稿の画像を読み取る。
【００４６】
また、読取ユニット３側には、第一イメージセンサ２１の往復移動経路の上方となる位置に、フラットベット方式で原稿を読み取る際に原稿が載置される原稿載置部２５及びＡＤＦ方式で原稿を読み取る際に原稿が通過する第一透明部２７が設けられている。また、原稿搬送ユニット４側には、第二イメージセンサ２２の下方となる位置に、ＡＤＦ方式で原稿を読み取る際に原稿が通過する第二透明部２８が設けられている。
【００４７】
原稿載置部２５及び第一透明部２７は、双方とも読取ユニット３の上面をなす位置にあり、本実施形態においては、これら原稿載置部２５及び第一透明部２７が、単一のガラス板を利用して構成されている。また、第二透明部２８は、本実施形態においては、原稿載置部２５及び第一透明部２７とは別のガラス板を利用して構成されている。
【００４８】
なお、原稿載置部２５及び第一透明部２７は、それぞれが別のガラス板を利用して構成されていてもよい。また、原稿載置部２５、第一透明部２７、及び第二透明部２８の材質は、第一イメージセンサ２１及び第二イメージセンサ２２による原稿の読み取りが可能な透明な材質であれば、ガラス以外の材質であってもよい。
【００４９】
また、原稿搬送ユニット４側には、第一透明部２７の上方となる位置に、第一原稿押さえ部３１が配設され、読取ユニット３側には、第二透明部２８の下方となる位置に、第二原稿押さえ部３２が配設されている。
【００５０】
第一原稿押さえ部３１は、圧縮ばね（図示略）によって下方へと付勢されており、これにより、第一原稿押さえ部３１は第一透明部２７の上面側を軽く押圧する状態になっている。また、第二原稿押さえ部３２は、圧縮ばね（図示略）によって上方へと付勢されており、これにより、第二原稿押さえ部３２は第二透明部２８の下面側を軽く押圧する状態になっている。
【００５１】
また、原稿搬送ユニット４には、供給ローラ４１、分離ローラ４２、搬送ローラ対４３Ａ，４３Ｂ、Ｕターン搬送ローラ群４４Ａ〜４４Ｄなどが設けられ、これらのローラ間には原稿を適正な搬送方向へ案内するためのガイド面を提供する部材が配置されている。
【００５２】
そのようなガイド面を提供する部材の一つとして、Ｕターン搬送ローラ４４Ａの左方には、第一ガイド部材５１（本発明でいうガイド部の一例に相当。）及び第二ガイド部材５２が設けられている。第一ガイド部材５１は、原稿搬送ユニット４に対し回動可能な構造とされ、回動に伴って、図３に示す第一位置、及び図４に示す第二位置へ変位可能となっている。一方、第二ガイド部材５２は、第二上面カバー１２に一体成形されている。
【００５３】
第一ガイド部材５１の左方には、カム部５３、アーム部５４（本発明でいう伝達部の一例に相当。）、及びシュート部５５が配設されている。カム部５３及びアーム部５４は、開閉部５と第一ガイド部材５１との間に介装され、これにより、開閉部５の開閉動作が第一ガイド部材５１に伝達されて、第一ガイド部材５１が変位する構造とされている。この可動機構の詳細については後述する。
【００５４】
第一ガイド部材５１が第一位置へと変位した場合、原稿搬送ユニット４内には、第一搬送経路が構成される（図３中に二点鎖線で示す経路参照。）。一方、第一ガイド部材５１が第二位置へと変位した場合、原稿搬送ユニット４内には、第二搬送経路が構成される（図４中に二点鎖線で示す経路参照。）。この第二搬送経路は、原稿を第一搬送経路よりも湾曲させることなく搬送可能な経路とされている。
【００５５】
［開閉部の開閉動作に伴って作動する可動機構の詳細］
第一ガイド部材５１は、図５及び図６に示すように、回動中心５１Ａを中心に回動可能な状態で原稿搬送ユニット４のフレームに支持されている。第一ガイド部材５１の回動中心５１Ａは、Ｕターン搬送ローラ４４Ａの回転中心がある位置Ｐ１よりも下方、かつ、カム部５３の回動中心５３Ａがある位置Ｐ２よりも右方にある。また、第一ガイド部材５１は、第二ガイド部材５２とは一体化されておれず、第二ガイド部材５２とは独立に変位可能となっている。
【００５６】
そのため、例えば、第一ガイド部材５１及び第二ガイド部材５２の双方に相当する形状及び寸法のガイド部や、回動中心が位置Ｐ１よりも上方にあるようなガイド部とは異なり、第一ガイド部材５１の可動域を小さくすることができ、第一ガイド部材５１を位置Ｐ１よりも下方、かつ、位置Ｐ２よりも右方の範囲内となる狭い空間内でコンパクトに回動させることができる。
【００５７】
カム部５３は、回動中心５３Ａを中心に回動可能な状態で原稿搬送ユニット４のフレームに支持されている。カム部５３の外周には、第一カム面５３Ｂ及び第二カム面５３Ｃが形成されている。第一カム面５３Ｂは、回動中心５３Ａからの距離が等距離となる面（例えば円筒面）で構成され、第二カム面５３Ｃも、同じく回動中心５３Ａからの距離が等距離となる面（例えば円筒面）で構成されている。ただし、第一カム面５３Ｂと第二カム面５３Ｃとでは、回動中心５３Ａからの距離が異なり、本実施形態の場合、第一カム面５３Ｂの方が第二カム面５３Ｃよりも回動中心５３Ａから離間した位置にある。
【００５８】
第一ガイド部材５１上のカム部５３側には、カム部５３に当接する当接面５１Ｂが形成されている。この当接面５１Ｂは、第一カム面５３Ｂ及び第二カム面５３Ｃのいずれに当接する場合でも、その当接箇所から概ね回動中心５３Ａのある方向に向かって押圧力を付与する状態にあり、これにより、当接面５１Ｂから押圧力でカム部５３が回動しないようにされている。
【００５９】
また、カム部５３は、第一カム面５３Ｂが当接面５１Ｂと当接する位置へ回動した際（図５参照。）、第一ガイド部材５１の回動中心５１Ａよりも第一搬送経路の搬送方向下流側で当接面５１Ｂに当接する。このような位置で第一カム面５３Ｂと当接面５１Ｂを当接させれば、第一カム面５３Ｂが第一ガイド部材５１の回動中心５１Ａ付近に当接するものよりも、シートの搬送時にカム部５３に作用する力を低減することができる。
【００６０】
カム部５３には、回動中心５３Ａから離間する方向へ延出する延出部５３Ｄが設けられ、この延出部５３Ｄの先端とアーム部５４の一端が、回動中心５４Ａを中心に回動可能な状態で連結されている。一方、アーム部５４の他端と開閉部５は、回動中心５４Ｂを中心に回動可能な状態で連結されている。
【００６１】
開閉部５は、その下方にある回動中心５Ａを中心に回動可能な状態で原稿搬送ユニット４のフレームに支持されている。また、開閉部５には、図７に示すように、図中右方へと延出する延出片５Ｂが形成され、この延出片５Ｂには係合孔６１が形成されている。
【００６２】
係合孔６１は、図７（ａ）に示すように、開閉部５が閉位置へ変位した際に、原稿搬送ユニット４のフレーム上に形成された係合片６３と係合し、これにより、開閉部５が閉位置で保持されることになる。これら係合孔６１及び係合片６３による係合は、開閉部５が自重等で簡単に開位置へ変位するのを防ぐために設けられたものであり、利用者が開閉部５に手をかけて意図的に開閉部５を開けば、図７（ｂ）に示すように、係合孔６１及び係合片６３による係合は簡単に解除される。
【００６３】
カム部５３及びアーム部５４は、図８及び図９に示すように、開閉部５の前端付近及び後端付近それぞれに一組ずつ配設されている。一方、開閉部５及び第一ガイド部材５１は、双方とも単一の部材とされている。
【００６４】
第一ガイド部材５１の下端には、櫛歯部５１Ｃが突設されている。また、櫛歯部５１Ｃの付け根付近には、図９及び図１０（ａ）〜同図（ｃ）に示すように、原稿の先端が当接した際に、その先端を図中後方側へと逃がす傾斜が付与されたすくい面５１Ｄと、原稿の先端が当接した際に、その先端を図中前方側へと逃がす傾斜が付与されたすくい面５１Ｅが形成されている。ピンチローラ４４Ｃを挟んで後方にある櫛歯部５１Ｃの付け根付近がすくい面５１Ｄとされ、ピンチローラ４４Ｃを挟んで前方にある櫛歯部５１Ｃの付け根付近がすくい面５１Ｅとされる。
【００６５】
原稿の先端に弛みがある場合、その弛み部分が櫛歯部５１Ｃ間に進入すると、弛み部分や原稿の隅などがすくい面５１Ｄ，５１Ｅに当接することがある。原稿は、中央にあるＵターン搬送ローラ４４Ａとピンチローラ４４Ｃによって挟持されているので、中央寄りとなる方向へ弛みを逃がすことは難しい。一方、両側にあるＵターン搬送ローラ４４Ａに対応する位置には、ピンチローラ４４Ｃが配設されていない。そのため、すくい面５１Ｄ，５１Ｅに当接した原稿先端の弛み部分が、すくい面５１Ｄ，５１Ｅそれぞれに沿って案内されると、弛み部分を前後方向へと逃がすことができ、これにより、原稿の弛みが緩和されることになる。したがって、このような傾斜を持ったすくい面５１Ｄ，５１Ｅが設けられていない場合に比べ、すくい面５１Ｄ，５１Ｅ付近におけるジャムの発生を抑制することができる。
【００６６】
第一ガイド部材５１の前後方向両端付近には、図１０（ａ）に示すように、付勢部６５が設けられている。本実施形態において、付勢部６５は、引きばねによって構成されている。具体的には、図１１に示すように、第一ガイド部材５１に設けられたフック部５１Ｆと、原稿搬送ユニット４のフレーム側に設けられたフック部６７との間に、付勢部６５が架け渡されている。これにより、第一ガイド部材５１は、図１１中で反時計回りとなる方向へ付勢されている。
【００６７】
以上のように構成された開閉部５、カム部５３、及びアーム部５４は、四節リンク（図５及び図６中に示した太い破線参照。）を構成しており、開閉部５を開けば、それに連動させてカム部５３を回動させることができる。
【００６８】
アーム部５４とカム部５３との連結点となる回動中心５４Ａは、開閉部５を開閉動作させた場合でも、アーム部５４とカム部５３との連結箇所が伸びきった状態になる死点位置よりも、常に下方にある。そのため、少なくともアーム部５４とカム部５３の自重で、回動中心５４Ａが死点位置側へ変位することはなく、回動中心５４Ａが死点位置を挟んで反
対側へ変位してしまうこともない。
【００６９】
カム部５３は、回動に伴って第一カム面５３Ｂで第一ガイド部材５１の当接面５１Ｂに当接する状態（図５参照。）、又は第二カム面５３Ｃで第一ガイド部材５１の当接面５１Ｂに当接する状態（図６参照）に切り替わる。第一カム面５３Ｂが当接面５１Ｂに当接すると（図５参照。）、第一ガイド部材５１は付勢部６５の付勢力に抗して第一位置へと変位する。一方、第二カム面５３Ｃが当接面５１Ｂに当接すると（図６参照。）、第一ガイド部材５１は付勢部６５の付勢力を受けて回動することにより第二位置へと変位する。
【００７０】
開閉部５を開閉動作させた際には、それに連動してカム部５３の回転角も変動する。ただし、第一カム面５３Ｂ及び第二カム面５３Ｃは、それぞれ回動中心５３Ａからの距離が等距離となる面とされている。そのため、カム部５３の回転角がある程度変動しても、第一カム面５３Ｂ又は第二カム面５３Ｃが当接面５１Ｂとの接触を維持する範囲内で摺動する限り、第一ガイド部材５１は変位しない。
【００７１】
すなわち、仮に開閉部５と第一ガイド部材５１とを四節リンクで直接連動させたとすれば、開閉部５の位置と第一ガイド部材５１の位置が一対一の関係で連動することになるので、開閉部５が僅かに変位するだけでも第一ガイド部材５１が変位してしまう。これに対し、上記のような構造であれば、開閉部とカム部５３とを四節リンクで直接連動させているものの、カム部５３の位置と第一ガイド部材５１の位置は一対一の関係で連動しないので、開閉部５が僅かに変位するだけでは第一ガイド部材５１は変位しない。
【００７２】
したがって、開閉部５が閉位置から僅かに開かれた程度では、第一ガイド部材５１が第一位置から外れた位置へ変位してしまうことはなく、また、開閉部５が開位置から僅かに閉じられた程度では、第一ガイド部材５１が第二位置から外れた位置へ変位してしまうことはない。また、開閉部５からカム部５３までの相対的な位置関係が公差の範囲内でばらついていたとしても、カム部５３の回転角のばらつきに影響されることなく、第一ガイド部材５１は適切に第一位置又は第二位置に位置決めされる。したがって、第一ガイド部材５１の位置ずれが原因で第一搬送経路ないし第二搬送経路においてジャムが発生するのを防止ないし抑制することができる。
【００７３】
また、第一ガイド部材５１が第一位置へ変位した場合、図１２（ａ）に示すように、櫛歯部５１Ｃの先端は、シュート部５５に形成された隆起部５５Ａ間にある空隙部５５Ｂに入り込む。この状態においては、シュート部５５の上面に沿って案内される原稿が、隆起部５５Ａを乗り越えた時点で、既に櫛歯部５１Ｃの先端を超える位置にまで案内されている。したがって、原稿は、櫛歯部５１Ｃの先端に引っ掛かることなく、スムーズに第一ガイド部材５１に沿って第一搬送経路の下流側へと案内されることになる（図１２（ａ）中の二点鎖線参照。）。
【００７４】
一方、第一ガイド部材５１が第二位置へ変位した場合、図１２（ｂ）に示すように、櫛歯部５１Ｃの先端は、隆起部５５Ａよりも上方へと持ち上がる。この状態においては、シュート部５５の上面に沿って案内される原稿は、隆起部５５Ａを乗り越えた時点で、既に櫛歯部５１Ｃの下方へと進入している。したがって、原稿は、櫛歯部５１Ｃの先端に引っ掛かることなく、スムーズにシュート部５５に沿って第二搬送経路の下流側へと案内されることになる（図１２（ｂ）中の二点鎖線参照。）。
【００７５】
櫛歯部５１Ｃの最先端には丸みが付けられるとともに、その最先端から搬送方向下流側にかけて、上面側及び下面側双方ともテーパーが付与されている。そのため、第一ガイド部材５１が第一位置及び第二位置どちらへ変位した場合でも、櫛歯部５１Ｃの先端にあるテーパー面は、原稿を適正な搬送経路へと誘い込むことができる。
【００７６】
［スキャン動作］
以上のように構成された複合機１では、原稿搬送ユニット４を利用して原稿を搬送しながら、その原稿の画像を読み取ることができる。その際、利用者は、開閉部５を操作して第一搬送経路又は第二搬送経路のいずれを利用するかを切り替えることができる。
【００７７】
そして、スキャンを開始する際には、操作パネル７上での操作や図示しないＰＣ（Personal Computer）からの遠隔操作により、複合機１に対してスキャン指令が与えられる。なお、このスキャン指令の際、利用者は片面読み取りか両面読み取りかを任意に指定できる。
【００７８】
複合機１にスキャン指令が与えられた場合、複合機１は、原稿搬送ユニット４が備えるローラ群を作動させる。このとき、供給ローラ４１によって搬送方向上流側から供給される原稿は、分離ローラ４２によって１枚ずつに分離されつつ、更に搬送方向下流側へと搬送される。
【００７９】
そして、搬送ローラ対４３Ａ，４３Ｂによって搬送される原稿が、第一透明部２７と第一原稿押さえ部３１との間を通過する。スキャン指令の際に、両面読み取り又は第一イメージセンサ２１による片面読み取りが指定されている場合、原稿が第一イメージセンサ２１と対向する位置に到来したら、第一イメージセンサ２１による画像の読み取りを行う。
【００８０】
具体的には、第一イメージセンサ２１は、複合機１の前後方向を主走査方向、搬送方向を副走査方向として、各センサに対向する位置を副走査方向へと移動する原稿から、主走査方向に並ぶ複数の画素を繰り返し読み取ることで、原稿の表面側の画像を読み取る。
【００８１】
また、第一透明部２７と第一原稿押さえ部３１との間を通過した原稿は、引き続いて、第二透明部２８と第二原稿押さえ部３２との間を通過する。スキャン指令の際に、両面読み取り又は第二イメージセンサ２２による片面読み取りが指定されている場合、原稿が第二イメージセンサ２２と対向する位置に到来したら、第二イメージセンサ２２による画像の読み取りを行う。
【００８２】
具体的には、第二イメージセンサ２２は、複合機１の前後方向を主走査方向、搬送方向を副走査方向として、各センサに対向する位置を副走査方向へと移動する原稿から、主走査方向に並ぶ複数の画素を繰り返し読み取ることで、原稿の裏面側の画像を読み取る。
【００８３】
第二透明部２８と第二原稿押さえ部３２との間を通過した原稿は、Ｕターン搬送ローラ４４に到達し、Ｕターン搬送ローラ４４の下端側からＵターン搬送ローラ４４の左方へと送り出される。
【００８４】
ここで、搬送経路として第一搬送経路が選択されている場合（図３参照。）、第一ガイド部材５１は第一位置へ回動しており、第一ガイド部材５１の左右両側にある空間を区画する隔壁となっている。この状態において、第一ガイド部材５１の右側面にある凹面は、Ｕターン搬送ローラ４４の外周面に沿った位置に配置され、Ｕターン搬送ローラ４４の下端側から左方へ原稿が送り出された際に、その原稿の先端を上方へと案内するガイド面として機能する。
【００８５】
このようなガイド面に沿って上方へと案内された原稿は、Ｕターン搬送ローラ４４に沿ってＵターンするので、第一搬送経路に沿って搬送されることになる。なお、こうして第一搬送経路に沿って搬送された原稿は、原稿搬送ユニット４の上面側（図２に示す仕切板１５の上面側）へと排出される。
【００８６】
一方、搬送経路として第二搬送経路が選択されている場合（図４参照。）、第一ガイド部材５１は第二位置へ回動しており、これにより、第一ガイド部材５１の左右両側にある空間は連通した状態となっている。この状態において、Ｕターン搬送ローラ４４の下端側から左方へ原稿が送り出された際には、その原稿の先端は第一ガイド部材５１の下方を通過する。その結果、原稿は開閉部５側に向かって第二搬送経路に沿って搬送されることになる。したがって、ユーザは、読取対象の原稿のサイズや、厚さに応じて、第一搬送経路によって搬送を行うか、第二搬送経路によって搬送を行うかを判断し、第二搬送経路を選択した場合には、開閉部５を開位置に移動させる。これによって、第一ガイド部材５１を第二位置に回動させることができる。
【００８７】
さらに、この複合機１では、原稿載置部２５上に原稿を載置して、その原稿の画像を読み取ることもできる。このような方法で画像を読み取る場合には、まず、原稿搬送ユニット４が開かれて、原稿載置面である原稿載置部２５上に原稿が載置される。この状態で、操作パネル７上での操作や図示しないＰＣからの遠隔操作により、複合機１に対してスキャン指令が与えられる。
【００８８】
複合機１にスキャン指令が与えられた場合、複合機１は、まず、装置各部を初期化する処理を実行し、続いて、第一イメージセンサ２１による画像の読み取りを行う。具体的には、第一イメージセンサ２１は、複合機１の前後方向を主走査方向、左右方向を副走査方向として、キャリッジ２４とともに副走査方向へ移動しながら、主走査方向に並ぶ複数の画素を繰り返し読み取ることで、原稿載置部２５上に載置されている原稿の画像を読み取る。
【００８９】
［その他の実施形態］
以上、本発明の実施形態について説明したが、本発明は上記の具体的な一実施形態に限定されず、この他にも種々の形態で実施することができる。
【００９０】
例えば、上記実施形態では、係合孔６１及び係合片６３を利用して開閉部５を閉位置に保持する例を示したが、開閉部５を閉位置に保持する手段は、上記実施形態のものに限らない。具体例を示せば、例えば、図１３（ａ）及び同図（ｂ）に示すように、ねじりコイルばね７１を利用して、開閉部５を開位置及び閉位置に保持可能な構造としてもよい。
【００９１】
この事例において、ねじりコイルばね７１は、一端が原稿搬送ユニット４のフレーム側にある回動中心７２に回動可能に連結され、他端が開閉部５側にある回動中心７３に回動可能に連結されている。開閉部５を開閉動作させた際、回動中心７３は開閉部５の回動中心の周囲を旋回する一方、回動中心７２は変位しない。そのため、ねじりコイルばね７１は、回動中心７２を中心に回動することとなるが、その際、回動中心７２と回動中心７３との間の距離が変動するので、ねじりコイルばね７１は、両端間の距離を変動させつつ回動する。
【００９２】
ねじりコイルばね７１の両端間距離は、開閉部５とともに回動する回動中心７３が、回動中心５Ａ及び回動中心７２を通る直線Ｐ３上に到来した際に最短となり、この時点で最も捻れた状態になる。
【００９３】
そのため、回動中心７３が直線Ｐ３よりも左側へ変位した際、ねじりコイルばね７１は、捻れが減少する方向へ回動中心７３を付勢し、その付勢力で開閉部５は開位置へと付勢されることになる。また、回動中心７３が直線Ｐ３よりも右側へ変位した際も、ねじりコイルばね７１は、捻れが減少する方向へ回動中心７３を付勢するが、この場合、その付勢力で開閉部５は閉位置へと付勢されることになる。
【００９４】
つまり、回動中心７３と直線Ｐ３との位置関係に応じて、開閉部５は開位置又は閉位置のいずれかに付勢されることになる。したがって、このようなねじりコイルばね７１を採用すれば、上記実施形態のものと同様、開閉部５を閉位置に保持することができるのはもちろんのこと、更に開閉部５を開位置に保持することもできるようになる。
【００９５】
また、上記実施形態では、第一ガイド部材５１を第二位置へ変位させるために、付勢部６５を設けてあったが、付勢部６５を設けるか否かは任意である。例えば、第一ガイド部材５１が自重で第二位置へ変位する構造になっていれば、付勢部６５を省略することができる。また、付勢部６５を引きばねで構成してあったが、これも引きばねに限らず、圧縮ばねやねじりばねを利用してもよい。あるいは、金属ばね以外であってもよく、例えば樹脂ばねを利用してもよいし、磁力で引っ張ったり押圧したりする構造であってもよい。
【００９６】
また、上記実施形態では、開閉部５の動きをカム部５３へ伝達する部材として、アーム部５４を設けてあったが、開閉部５の動きをカム部５３へ伝達できれば、アーム部５４とは異なる動作伝達機構（例えば、歯車機構など）が介装されていてもよい。ただし、上記実施形態のようなアーム部５４を利用すれば、開閉部５及びカム部５３を利用して四節リンクを構成できるので、比較的少ない部品でカム部５３を適切な二位置間で回動させることができる。
【００９７】
また、上記実施形態では、第一ガイド部材５１が第二カム面５３Ｃに当接することで第二位置に位置決めされるように構成してあったが、第一ガイド部材５１がカム部５３とは別の箇所に当接することで第二位置に位置決めされるように構成してあってもよい。
【００９８】
さらに、上記実施形態では、シート搬送装置の一例として、画像読取装置が備える自動原稿送り装置として構成されたものを例示したが、本発明は、画像形成装置が備える被記録媒体の搬送機構として構成する場合にも有用である。
【００９９】
具体例を挙げれば、例えば、給紙カセットからの給紙経路を第一搬送経路、手差しトレイからの給紙経路を第二搬送経路とし、手差しトレイからの給紙口に開閉部を設け、この開閉部を開閉すると、それに連動して搬送経路が切り替わる、といった構成を考え得る。
【０１００】
また、本実施形態においては、画像読取装置としての機能（スキャン機能）に加え、その他の機能（例えば、プリント機能、コピー機能、ファクシミリ送受信機能など）を兼ね備えた複合機１を例示したが、その他の機能を何種類備えるかは任意であり、あるいは、画像読取装置としての機能のみを備えた単機能のイメージスキャナ装置においても本発明を採用することができる。
【符号の説明】
【０１０１】
１・・・複合機、２・・・本体ユニット、３・・・読取ユニット、４・・・原稿搬送ユニット、５・・・開閉部、５Ｂ・・・延出片、７・・・操作パネル、８・・・取出口、９・・・給紙カセット、１１・・・第一上面カバー、１２・・・第二上面カバー、１３・・・通紙面、１４・・・サイドガイド、１５・・・仕切り板、２１・・・第一イメージセンサ、２２・・・第二イメージセンサ、２３・・・ガイドレール、２４・・・キャリッジ、２５・・・原稿載置部、２７・・・第一透明部、２８・・・第二透明部、３１・・・第一原稿押さえ部、３２・・・第二原稿押さえ部、４１・・・供給ローラ、４２・・・分離ローラ、４３Ａ・・・搬送ローラ対、４４Ａ・・・Ｕターン搬送ローラ、４４Ｃ・・・ピンチローラ、５１・・・第一ガイド部材、５１Ｃ・・・櫛歯部、５１Ｄ，５１Ｅ・・・すくい面、５２・・・第二ガイド部材、５３・・・カム部、５３Ｂ・・・第一カム面、５３Ｃ・・・第二カム面、５３Ｄ・・・延出部、５４・・・アーム部、５５・・・シュート部、
５５Ａ・・・隆起部、５５Ｂ・・・空隙部、６１・・・係合孔、６３・・・係合片、６５・・・付勢部。
【図１】
0005686113.tif 000002
【図２】
0005686113.tif 000003
【図３】
0005686113.tif 000004
【図４】
0005686113.tif 000005
【図５】
0005686113.tif 000006
【図６】
0005686113.tif 000007
【図７】
0005686113.tif 000008
【図８】
0005686113.tif 000009
【図９】
0005686113.tif 000010
【図１０】
0005686113.tif 000011
【図１１】
0005686113.tif 000012
【図１２】
0005686113.tif 000013
【図１３】
0005686113.tif 000014